(57)【要約】【課題】登録済みの位置情報を修正する作業の簡素化を図る。【解決手段】本実施形態の可視光通信システムでは、サーバ３に登録されている位置情報を地図情報とともに受信装置の表示デバイスに表示し、タッチパネルからタッチ入力された地図上の位置を修正後の位置情報とし、サーバ３の位置情報を修正している。そのため、修正の度に登録作業をやり直さなければならない従来例と比較して、登録済みの位置情報を修正する作業の簡素化を図ることができる。【選択図】        図１
2015012538.tif 000002
【特許請求の範囲】
【請求項１】
固有の識別情報を可視光通信によって送信する１乃至複数の照明器具と、前記識別情報と前記照明器具の位置情報を記憶し且つ管理するサーバと、前記可視光通信により前記照明器具から前記識別情報を受信し、受信した前記識別情報に対応する前記位置情報を前記サーバから取得する受信装置とを有し、
前記受信装置は、前記可視光を受光して前記識別情報を取得する可視光受信部と、前記サーバと通信する通信部と、前記照明器具が設置される場所の地図情報を記憶するメモリ部と、タッチパネル付きの表示デバイスを有する表示入力部と、前記各部を制御する制御部とを備え、
前記制御部は、前記可視光受信部が取得する前記識別情報を前記通信部から前記サーバに送信させ、前記サーバから返信される前記識別情報と対応した前記位置情報を前記メモリ部から読み出した地図情報とともに前記表示入力部の前記表示デバイスに表示させる通常モードと、
前記可視光受信部が取得する前記識別情報を前記通信部から前記サーバに送信させ、前記サーバから返信される前記識別情報と対応した前記位置情報を前記メモリ部から読み出した地図情報とともに前記表示入力部の前記表示デバイスに表示させ、さらに、前記表示入力部の前記タッチパネルがタッチ入力を受け付けた位置の位置情報を前記地図情報から取得し、取得した前記位置情報を前記識別情報とともに前記通信部から前記サーバに送信させる修正モードとを択一的に選択して実行するように構成され、
前記サーバは、前記受信装置との無線通信によって取得する前記識別情報に対応した前記位置情報を、前記識別情報とともに前記受信装置から取得した前記位置情報に書き換えるように構成されることを特徴とする可視光通信システム。
【請求項２】
固有の識別情報を可視光通信によって送信する１乃至複数の照明器具と、前記識別情報と前記照明器具の位置情報を記憶し且つ管理するサーバと、前記可視光通信により前記照明器具から前記識別情報を受信し、受信した前記識別情報に対応する前記位置情報を前記サーバから取得する受信装置とを有し、
前記サーバは、前記受信装置と通信する通信部と、前記照明器具が設置される場所の地図情報を記憶するとともに、前記照明器具の位置情報を前記識別情報に対応付けて記憶するメモリ部と、前記通信部及び前記メモリ部を管理する管理部とを備え、
前記受信装置は、前記可視光を受光して前記識別情報を取得する可視光受信部と、前記サーバと通信する通信部と、タッチパネル付きの表示デバイスを有する表示入力部と、前記各部を制御する制御部とを備え、
前記制御部は、前記可視光受信部が取得する前記識別情報を前記通信部から前記サーバに送信させ、前記サーバから返信される前記識別情報と対応した前記位置情報を、前記識別情報とともに前記サーバから受け取る前記地図情報とともに前記表示入力部の前記表示デバイスに表示させる通常モードと、
前記可視光受信部が取得する前記識別情報を前記通信部から前記サーバに送信させ、前記サーバから返信される前記識別情報と対応した前記位置情報を、前記識別情報とともに前記サーバから受け取る前記地図情報とともに前記表示入力部の前記表示デバイスに表示させ、さらに、前記表示入力部の前記タッチパネルがタッチ入力を受け付けた位置の位置情報を前記地図情報から取得し、取得した前記位置情報を前記識別情報とともに前記通信部から前記サーバに送信させる修正モードとを択一的に選択して実行するように構成され、
前記サーバは、前記受信装置との無線通信によって取得する前記識別情報に対応した前記位置情報を、前記識別情報とともに前記受信装置から取得した前記位置情報に書き換えるように構成されることを特徴とする可視光通信システム。
【発明の詳細な説明】
【技術分野】
【０００１】
本発明は、可視光を通信媒体とする可視光通信システムに関する。
【背景技術】
【０００２】
近年、照明器具(送信機)から放射される可視光(照明光)を変調して当該照明器具に固有のID情報などを送信し、前記可視光を受光する受信機でID情報を復調するようにした可視光通信システム(可視光IDシステム)が実用化されている。
【０００３】
また、従来の可視光通信システムでは、照明器具から取得したID情報を受信機からサーバに送信し、サーバがID情報に対応した位置情報(照明器具が設置されている位置を示す情報)を受信機に返信する場合があった。この場合、サーバに対して全ての照明器具のID情報と位置情報を登録する作業が必要になる。
【０００４】
上述のような登録作業の簡素化を図る従来例として、特許文献１記載の光伝送システムが提案されている。特許文献１記載の従来例は、可視光通信によってID情報を送信する照明器具と、可視光通信によりID情報を取得する受信端末と、ID情報に対応した位置情報を管理するサーバと、照明器具の設置時にサーバに位置情報を登録(設定)する設定端末とを有する。
【０００５】
設定端末は、照明器具の設置場所を含む所定エリアの地図データを記憶したメモリや、タッチパネル付きの液晶モニタなどを備えている。設定端末は、液晶モニタに地図データを表示させた状態において、照明器具からID情報を取得したときに、作業者がID情報を受信した照明器具の設置位置を液晶モニタにタッチ入力すると、ID情報に照明器具の位置情報を対応付けて翻訳データテーブルを生成する。さらに、設定端末は、生成した翻訳データテーブル(照明器具のID情報と位置情報を対応付けたデータテーブル)を通信媒体を介してサーバに伝送する。そして、サーバが、設定端末から伝送される翻訳データテーブルをメモリ等に記憶することにより、サーバへの位置情報の登録が完了する。
【先行技術文献】
【特許文献】
【０００６】
【特許文献１】特開２００９−２０６６２０号公報
【発明の概要】
【発明が解決しようとする課題】
【０００７】
しかしながら、特許文献１記載の従来例では、登録済みの位置情報を修正する場合、初期の登録作業と同じ手順で再度登録し直さなければならず、修正作業に手間がかかるという問題があった。
【０００８】
本発明は、上記課題に鑑みて為されたものであり、登録済みの位置情報を修正する作業の簡素化を図ることを目的とする。
【課題を解決するための手段】
【０００９】
本発明の可視光通信システムは、固有の識別情報を可視光通信によって送信する１乃至複数の照明器具と、前記識別情報と前記照明器具の位置情報を記憶し且つ管理するサーバと、前記可視光通信により前記照明器具から前記識別情報を受信し、受信した前記識別情報に対応する前記位置情報を前記サーバから取得する受信装置とを有し、前記受信装置は、前記可視光を受光して前記識別情報を取得する可視光受信部と、前記サーバと通信する通信部と、前記照明器具が設置される場所の地図情報を記憶するメモリ部と、タッチパネル付きの表示デバイスを有する表示入力部と、前記各部を制御する制御部とを備え、前記制御部は、前記可視光受信部が取得する前記識別情報を前記通信部から前記サーバに送信させ、前記サーバから返信される前記識別情報と対応した前記位置情報を前記メモリ部から読み出した地図情報とともに前記表示入力部の前記表示デバイスに表示させる通常モードと、前記可視光受信部が取得する前記識別情報を前記通信部から前記サーバに送信させ、前記サーバから返信される前記識別情報と対応した前記位置情報を前記メモリ部から読み出した地図情報とともに前記表示入力部の前記表示デバイスに表示させ、さらに、前記表示入力部の前記タッチパネルがタッチ入力を受け付けた位置の位置情報を前記地図情報から取得し、取得した前記位置情報を前記識別情報とともに前記通信部から前記サーバに送信させる修正モードとを択一的に選択して実行するように構成され、前記サーバは、前記受信装置との無線通信によって取得する前記識別情報に対応した前記位置情報を、前記識別情報とともに前記受信装置から取得した前記位置情報に書き換えるように構成されることを特徴とする。
【００１０】
また、本発明の可視光通信システムは、固有の識別情報を可視光通信によって送信する１乃至複数の照明器具と、前記識別情報と前記照明器具の位置情報を記憶し且つ管理するサーバと、前記可視光通信により前記照明器具から前記識別情報を受信し、受信した前記識別情報に対応する前記位置情報を前記サーバから取得する受信装置とを有し、前記サーバは、前記受信装置と通信する通信部と、前記照明器具が設置される場所の地図情報を記憶するとともに、前記照明器具の位置情報を前記識別情報に対応付けて記憶するメモリ部と、前記通信部及び前記メモリ部を管理する管理部とを備え、前記受信装置は、前記可視光を受光して前記識別情報を取得する可視光受信部と、前記サーバと通信する通信部と、タッチパネル付きの表示デバイスを有する表示入力部と、前記各部を制御する制御部とを備え、前記制御部は、前記可視光受信部が取得する前記識別情報を前記通信部から前記サーバに送信させ、前記サーバから返信される前記識別情報と対応した前記位置情報を、前記識別情報とともに前記サーバから受け取る前記地図情報とともに前記表示入力部の前記表示デバイスに表示させる通常モードと、前記可視光受信部が取得する前記識別情報を前記通信部から前記サーバに送信させ、前記サーバから返信される前記識別情報と対応した前記位置情報を、前記識別情報とともに前記サーバから受け取る前記地図情報とともに前記表示入力部の前記表示デバイスに表示させ、さらに、前記表示入力部の前記タッチパネルがタッチ入力を受け付けた位置の位置情報を前記地図情報から取得し、取得した前記位置情報を前記識別情報とともに前記通信部から前記サーバに送信させる修正モードとを択一的に選択して実行するように構成され、前記サーバは、前記受信装置との無線通信によって取得する前記識別情報に対応した前記位置情報を、前記識別情報とともに前記受信装置から取得した前記位置情報に書き換えるように構成されることを特徴とする。
【発明の効果】
【００１１】
本発明の可視光通信システムは、受信装置又はサーバのメモリ部に登録されている位置情報及び地図情報を受信装置の表示デバイスに表示し、タッチパネルからタッチ入力された地図上の位置を修正後の位置情報とし、サーバの位置情報を修正するため、修正の度に登録作業をやり直さなければならない従来例と比較して、登録済みの位置情報を修正する作業の簡素化を図ることができるという効果がある。
【図面の簡単な説明】
【００１２】
【図１】本発明に係る可視光通信システムの実施形態を示すシステム構成図である。
【図２】同上におけるサーバのデータベースを説明する説明図である。
【図３】同上における地図情報を説明するための説明図である。
【発明を実施するための形態】
【００１３】
本発明に係る可視光通信システムの実施形態について、図面を参照して詳細に説明する。なお、本実施形態の可視光通信システムは、商業施設や病院などの建物内で使用される。
【００１４】
本実施形態の可視光通信システムは、図１に示すように照明器具１、受信装置２、サーバ３で構成される。ただし、図１では照明器具１を１台しか図示していないが、実際は複数台の照明器具１が建物内に設置されている。
【００１５】
照明器具１は、光源10、点灯回路部11、可視光通信制御部12などを備え、例えば、建物内の通路の天井や壁などに配設される。
【００１６】
光源10は、発光ダイオードや有機エレクトロルミネッセンス素子などの発光素子、若しくは白熱ランプや蛍光ランプなどで構成される。なお、本実施形態では光源10が発光ダイオードで構成されているものとする。
【００１７】
点灯回路部11は、商用電源から供給される交流電圧・交流電流を直流電圧・直流電流に変換して光源10に給電する。
【００１８】
可視光通信制御部12は、点灯回路部11から光源10に給電される直流電圧又は直流電流を変調することでID情報を可視光(照明光)に重畳させて送信する。ID情報は、照明器具１に割り当てられる固有の識別情報である(図２参照)。ただし、このような可視光通信制御部12は、従来周知であるから詳細な構成の図示並びに説明は省略する。
【００１９】
ここで、図２に示すように、各ID情報に対応した位置情報は、数字とアルファベットの組み合わせからなる。すなわち、図３に示すように建物内の平面図(地図)がマトリクス状のマス目に区切られており、縦の列を数字で指定し、横の行をアルファベットで示すことにより各マス目の位置を表すようにしている。そして、これらのマス目に対応する地図上の位置を照明器具１の位置とみなしている。なお、位置情報の表し方はこれに限定されるものではなく、例えば、緯度と経度で表すようにしても構わない。また、位置情報に建物の階数を示すパラメータを含めても構わない。
【００２０】
受信装置２は、受光素子20、可視光受信部21、制御部22、無線通信部23、メモリ部24、表示入力部25などを備える。
【００２１】
受光素子20は、可視光を受光して電気信号に変換する光電変換素子(フォトダイオードやフォトトランジスタなど)で構成される。
【００２２】
可視光受信部21は、受光素子20から出力される電気信号からID情報を復調し、復調したID情報を制御部22に渡す。
【００２３】
無線通信部23は、電波を媒体とする無線通信により、サーバ３との間でデータ通信を行う。なお、無線通信の通信方式は、無線ＬＡＮや携帯電話事業者が提供するデータ通信の通信方式(W-CDMAやCDMA2000など)が好ましい。
【００２４】
メモリ部24は、フラッシュメモリなどの電気的に書換可能な不揮発性の半導体メモリで構成される。そして、メモリ部24には、自己に割り当てられているID情報と、建物内の地図情報とが記憶(格納)されている。
【００２５】
表示入力部25は、タッチパネル付きの液晶ディスプレイ、液晶ディスプレイを駆動する駆動回路、タッチパネル上のタッチ位置を検出する検出回路などで構成される。
【００２６】
上述した可視光受信部21、無線通信部23、表示入力部25は何れも従来周知であるから詳細な構成の図示並びに説明は省略する。
【００２７】
制御部22は、マイクロコンピュータを主構成要素とし、メモリに格納されているプログラムをマイクロコンピュータで実行することにより、後述する様々な処理を行っている。
【００２８】
サーバ３は、汎用のコンピュータシステムとサーバ用のソフトフェアで構成されるものであって、通信部30、管理部31、データベース32などを有している。
【００２９】
通信部30は、有線ＬＡＮあるいは無線ＬＡＮによってデータ通信を行うように構成される。例えば、通信部30が無線ＬＡＮによるデータ通信を行う場合、受信装置２と直接データ通信することも可能である。あるいは、通信部30が有線ＬＡＮによるデータ通信を行う場合、無線ＬＡＮの基地局を介して受信装置２とデータ通信することができる。
【００３０】
データベース32は、例えば、ハードディスクドライブなどの外部記憶装置で構成され、図２に示すように、各照明器具１のID情報と、各ID情報に対応した位置情報(照明器具１の設置場所の位置情報)とを記憶している。
【００３１】
管理部31は、データベース32を管理し、後述するように受信装置２に対して位置情報を提供する提供処理や、ID情報に対応付けてデータベース32に登録されている登録済みの位置情報を修正する修正処理などを行う。
【００３２】
次に、本実施形態の基本的な動作を説明する。
【００３３】
まず、受信装置２の制御部22は、可視光受信部21からID情報を受け取ると、受け取ったID情報を含み、サーバ３に対して位置情報の提供を要請する送信フレームを生成して無線通信部23に出力する。無線通信部23は、制御部22から受け取った送信フレームを変調した無線信号をサーバ３へ送信する。
【００３４】
サーバ３の管理部31は、通信部30が受信したID情報を受け取ると、受け取ったID情報に対応する位置情報をデータベース32から読み出して通信部30より受信装置２へ返信させる。
【００３５】
受信装置２の制御部22は、サーバ３からの返信を受信した無線通信部23から位置情報を受け取り、受け取った位置情報に対応した地図情報(ID情報の送信元である照明器具１の設置場所を含む地図情報。以下、同じ。)をメモリ部24から読み出す。さらに制御部22は、メモリ部24から読み出した地図情報と、サーバ３から受け取った位置情報とを表示入力部25の液晶ディスプレイに重ねて表示させる。その結果、受信装置２を携帯する利用者は、受信装置２の液晶ディスプレイに表示される地図上で自己の現在位置(照明器具１の設置場所)を知ることができる。
【００３６】
続いて、本発明の特徴である修正モードの動作について説明する。修正モードとは、受信装置２の制御部22が、サーバ３のデータベース32に登録されている位置情報を修正する動作モードである。これに対して、上述した動作モードを通常モードと呼ぶ。
【００３７】
受信装置２の制御部22は、表示入力部25で修正モードに切り換えるためのタッチ入力が受け付けられたときに修正モードに移行する。
【００３８】
制御部22は、修正の対象である照明器具１のID情報を可視光受信部21から受け取ると、このID情報に対する位置情報の提供を要求する送信フレームを生成して無線通信部23に出力する。無線通信部23は、制御部22から受け取った送信フレームを変調した無線信号をサーバ３へ送信する。
【００３９】
サーバ３の管理部31は、通信部30が受信したID情報を受け取ると、受け取ったID情報に対応する位置情報をデータベース32から読み出して通信部30より受信装置２へ返信させる。
【００４０】
受信装置２の制御部22は、サーバ３からの返信を受信した無線通信部23から位置情報を受け取り、受け取った位置情報に対応した地図情報をメモリ部24から読み出し、地図情報と位置情報を表示入力部25の液晶ディスプレイに重ねて表示させる。そして、修正作業を行う者(作業者)が液晶ディスプレイに表示された地図上で修正後の位置にタッチすると、表示入力部25がタッチ入力を受け付けるとともにタッチされた位置の位置情報(マス目の位置)を制御部22に出力する。
【００４１】
制御部22は、表示入力部25から位置情報を受け取ると、表示入力部25の液晶ディスプレイに確認用のボタンを表示させる。そして、作業者が前記ボタンにタッチして表示入力部25がタッチ入力を受け付けることにより、修正後の位置情報が確定する。制御部22は、修正後の位置情報が確定すれば、当該位置情報とID情報を含み、サーバ３に対して位置情報の修正を要請する送信フレームを生成して無線通信部23に出力する。無線通信部23は、制御部22から受け取った送信フレームを変調した無線信号をサーバ３へ送信する。
【００４２】
サーバ３の管理部31は、通信部30が受信したID情報及び位置情報を受け取ると、受け取ったID情報に対応する位置情報を、修正後の位置情報に修正してデータベース32を書き換える。そして、管理部31は、修正が完了した旨のメッセージを含むフレームを通信部30から受信装置２へ返信させる。
【００４３】
受信装置２の制御部22は、サーバ３からの返信を無線通信部23で受信して修正完了のメッセージを受け取ると、修正モードを終了して通常モードに移行する。
【００４４】
上述のように本実施形態の可視光通信システムは、固有の識別情報を可視光通信によって送信する１乃至複数の照明器具１と、識別情報と照明器具１の位置情報を記憶し且つ管理するサーバ３とを有する。また、本実施形態の可視光通信システムは、可視光通信により照明器具１から識別情報を受信し、受信した識別情報に対応する位置情報をサーバ３から取得する受信装置２を有する。受信装置２は、可視光を受光して識別情報を取得する可視光受信部21と、サーバ３と通信する通信部(無線通信部23)と、照明器具１が設置される場所の地図情報を記憶するメモリ部24とを備える。さらに、受信装置２は、タッチパネル付きの表示デバイスを有する表示入力部25と、各部を制御する制御部22を備える。
【００４５】
制御部22は、可視光受信部21が取得する識別情報を無線通信部23からサーバ３に送信させ、サーバ３から返信される識別情報と対応した位置情報をメモリ部24から読み出した地図情報とともに表示入力部25の前記表示デバイスに表示させる通常モードを有する。また、制御部22は、可視光受信部21が取得する識別情報を無線通信部23からサーバ３に送信させ、サーバ３から返信される識別情報と対応した位置情報をメモリ部24から読み出した地図情報とともに表示入力部25の前記表示デバイスに表示させる。制御部22は、表示入力部25のタッチパネルがタッチ入力を受け付けた位置の位置情報を地図情報から取得し、取得した位置情報を識別情報とともに無線通信部23からサーバ３に送信させる修正モードを有する。そして、制御部22は、通常モードと修正モードとを択一的に選択して実行するように構成される。サーバ３は、受信装置２との無線通信によって取得する識別情報に対応した位置情報を、識別情報とともに受信装置２から取得した位置情報に書き換えるように構成される。
【００４６】
つまり、本実施形態の可視光通信システムでは、サーバ３に登録されている位置情報を地図情報とともに受信装置の表示デバイスに表示し、タッチパネルからタッチ入力された地図上の位置を修正後の位置情報とし、サーバ３の位置情報を修正している。そのため、修正の度に登録作業をやり直さなければならない従来例と比較して、登録済みの位置情報を修正する作業の簡素化を図ることができる。また、本実施形態では受信装置２のメモリ部24に地図情報を記憶しているため、サーバ３に地図情報を記憶する場合と比較して、サーバ３から受信装置２へ地図情報を送信する必要が無い。その結果、サーバ３と受信装置２の通信回線に流れる情報量を抑制し、修正作業における受信装置２の反応を向上することができる。
【００４７】
ただし、地図情報を受信装置２のメモリ部24に記憶する代わりに、サーバ３のデータベース32に地図情報を記憶しても構わない。この場合、位置情報の提供が要請されたときに、サーバ３の管理部31は、ID情報に対応する位置情報と当該位置情報に対応した地図情報をデータベース32から読み出して受信装置２へ返信すればよい。
【００４８】
すなわち、このような可視光通信システムは、固有の識別情報を可視光通信によって送信する１乃至複数の照明器具１と、識別情報と照明器具１の位置情報を記憶し且つ管理するサーバ３とを有する。また、本実施形態の可視光通信システムは、可視光通信により照明器具１から識別情報を受信し、受信した識別情報に対応する位置情報をサーバ３から取得する受信装置２を有する。
【００４９】
サーバ３は、受信装置２と通信する通信部30と、照明器具１が設置される場所の地図情報を記憶するとともに、照明器具１の位置情報を識別情報に対応付けて記憶するメモリ部(データベース32)と、通信部30及びデータベース32を管理する管理部31とを備える。
【００５０】
受信装置２は、可視光を受光して識別情報を取得する可視光受信部21と、サーバ３と通信する通信部(無線通信部23)と、タッチパネル付きの表示デバイスを有する表示入力部25と、各部を制御する制御部22とを備える。
【００５１】
制御部22は、可視光受信部21が取得する識別情報を無線通信部23からサーバ３に送信させ、サーバ３から返信される識別情報と対応した位置情報を、識別情報とともにサーバ３から受け取る地図情報とともに表示入力部25の表示デバイスに表示させる通常モードを有する。また、制御部22は、可視光受信部21が取得する識別情報を無線通信部23からサーバ３に送信させ、サーバ３から返信される識別情報と対応した位置情報を、識別情報とともにサーバ３から受け取る地図情報とともに表示入力部25の表示デバイスに表示させる。さらに、制御部22は、表示入力部25のタッチパネルがタッチ入力を受け付けた位置の位置情報を地図情報から取得し、取得した位置情報を識別情報とともに無線通信部23からサーバ３に送信させる修正モードを有する。そして、制御部22は、通常モードと修正モードとを択一的に選択して実行するように構成される。
【００５２】
サーバ３は、受信装置２との無線通信によって取得する識別情報に対応した位置情報を、識別情報とともに受信装置２から取得した位置情報に書き換えるように構成される。
【００５３】
つまり、本実施形態の可視光通信システムでは、サーバ３に登録されている位置情報及び地図情報を受信装置の表示デバイスに表示し、タッチパネルからタッチ入力された地図上の位置を修正後の位置情報とし、サーバ３の位置情報を修正することもできる。そのため、修正の度に登録作業をやり直さなければならない従来例と比較して、登録済みの位置情報を修正する作業の簡素化を図ることができる。また、受信装置２のメモリ部24に地図情報を記憶する代わりに、サーバ３のメモリ部(データベース32)に地図情報を記憶すれば、多数の受信装置２で位置情報を修正する場合でも受信装置２同士の地図情報の整合性を確認する必要が無いという利点がある。
【００５４】
なお、サーバ３の位置情報を修正するために、通常の利用者も使用する受信装置２を用いているが、修正作業専用の受信装置２を用いても構わない。
【符号の説明】
【００５５】
１  照明器具
２  受信装置
３  サーバ
21  可視光受信部
22  制御部
23  無線通信部(通信部)
24  メモリ部
25  表示入力部
【図１】
2015012538.tif 000003
【図２】
2015012538.tif 000004
【図３】
2015012538.tif 000005